(57)【要約】      （修正有）【課題】発表者に対して発表内容の評価を効果的に通知する。【解決手段】発表評価システム１は、撮像端末２００と、１又は複数の評価端末１００ａ〜１００ｄと、処理部とを有する。処理部は、撮像端末に含まれる。撮像端末は、発表者を撮影するカメラを備える。１又は複数の評価端末は、撮像端末で撮影された動画像を受信して、受信した該動画像を再生するとともに、動画像の再生中に発表者の発表に関する評価の入力を受け付ける。処理部は、１又は複数の評価端末から入力された各評価を取得し、取得した該各評価に基づいて、評価ポイントの算出処理、又は、評価メッセージの生成処理を行う。【選択図】図１
2018156158.tif 000002
【特許請求の範囲】
【請求項１】
発表者を撮影するカメラを備えた第１の端末と、
前記第１の端末で撮影された動画像を受信して、受信した該動画像を再生するとともに、前記動画像の再生中に前記発表者の発表に関する評価の入力を受け付ける１又は複数の端末群と、
前記１又は複数の端末群から入力された各評価を取得し、取得した該各評価に基づいて、評価ポイントの算出処理、又は、評価メッセージの生成処理を行う処理部と、
を備えたことを特徴とする発表評価システム。
【請求項２】
前記処理部が前記評価ポイントの算出処理を行う場合に、前記処理部は、前記評価ポイント又は前記評価ポイントに対応するシンボル若しくはメッセージを表示部に表示させる、
ことを特徴とする請求項１記載の発表評価システム。
【請求項３】
発表者を撮影する第１の端末と、
前記第１の端末で撮影された動画像を受信して、受信した該動画像を再生するとともに、前記動画像の再生中に前記発表者の発表に関する評価の入力を受け付ける１又は複数の端末群と、
前記１又は複数の端末群から入力された各評価を取得し、取得した該各評価を、前記第１の端末の前記カメラの撮影方向側の表示部、又は、前記発表者の第３の端末の表示部に表示させる処理部と、
を備えたことを特徴とする発表評価システム。
【請求項４】
動画像を受信する受信部と、
受信した前記動画像を再生して表示させる動画像再生部と、
前記動画像について複数タイプの評価を受け付ける操作部と、
を備え、
前記複数タイプは、評価の入力に応じて他の端末にリアルタイムで入力された評価を表示される第１のタイプと、評価の入力に応じて他の端末にリアルタイムで入力された評価を表示されない第２のタイプを含む、
ことを特徴とする評価端末。
【請求項５】
前記第１のタイプの評価が入力されると、該第１のタイプの評価が入力された際の前記動画像の再生タイミングを示す情報に対応づけて評価内容を示すシンボル又はメッセージを表示させる処理部、
を備えた請求項４記載の評価端末。
【請求項６】
前記動画像の再生タイミングを示す情報は、前記動画像の再生タイミングを示す時間軸上の点若しくは区間、又は、対応する再生タイミングのサムネイル画像である、
ことを特徴とする請求項４又は５に記載の評価端末。
【請求項７】
前記第１のタイプは、前記動画像の部分評価であり、前記第２のタイプは、前記動画像の長さ又は総合評価である、
ことを特徴とする請求項４記載の評価端末。
【請求項８】
前記第１のタイプについて、評価の回数の限度又は所定時間内の評価回数の限度が設定され、限度を超えた評価は無効とされるか、又は、限度到達により評価を受け付ける操作部分が非常時若しくは非アクティブに設定される、
ことを特徴とする請求項４記載の評価端末。
【請求項９】
前記第２のタイプは、複数回の入力が可能な評価であり、前記複数回の入力のうち最後の入力又は前記複数回入力の平均が評価として選択される、
ことを特徴とする請求項４記載の評価端末。
【請求項１０】
動画を撮影するカメラと、
前記カメラの撮影側に設けられたディスプレイと、
前記カメラで撮影した動画像を送信する送信部と、
送信された前記動画像の再生機能と該動画像の再生中の評価の入力機能とを有する評価端末における評価を取得し、前記ディスプレイに、取得した前記評価に基づく情報を表示する表示制御部と、
を備えたことを特徴とする撮像端末。
【請求項１１】
前記表示制御部は、動画像の撮影に関する経過時間を前記ディスプレイに表示する、
ことを特徴とする請求項１０記載の撮像端末。
【請求項１２】
前記表示制御部は、複数の評価端末から同一の評価を取得した場合には、前記評価に基づく情報を強調表示することを特徴とする請求項１０記載の撮像端末。
【請求項１３】
前記表示制御部は、前記評価に基づいて評価メッセージを生成し、生成した評価メッセージを前記ディスプレイに表示することを特徴とする請求項１０記載の撮像端末。
【請求項１４】
前記評価は、第１のタイプの評価と、第２のタイプの評価とを含み、前記表示制御部は、前記第１のタイプの評価を取得した場合には、前記第１のタイプの評価が入力されたタイミングに基づいて前記第１のタイプの評価を前記ディスプレイのタイムライン上に表示し、前記２のタイプの評価を取得した場合には、終了イベントが発生した段階で、前記ディスプレイに前記第２のタイプの評価を表示することを特徴とする請求項１０記載の撮像端末。
【請求項１５】
コンピュータが実行する評価方法であって、
動画像を受信し、
受信した前記動画像を再生して表示させ、
前記動画像について複数タイプの評価を受け付ける処理を実行し、
前記複数タイプは、評価の入力に応じて他の端末にリアルタイムで入力された評価を表示される第１のタイプと、評価の入力に応じて他の端末にリアルタイムで入力された評価を表示されない第２のタイプを含む、
ことを特徴とする評価方法。
【請求項１６】
コンピュータが実行する表示方法であって、
カメラで撮影した動画像を送信し、
送信された前記動画像の再生機能と該動画像の再生中の評価の入力機能とを有する評価端末における評価を取得し、取得した前記評価に基づく情報を、前記カメラの撮影側に設けられたディスプレイに表示する
処理を実行することを特徴とする表示方法。
【請求項１７】
コンピュータに、
動画像を受信し、
受信した前記動画像を再生して表示させ、
前記動画像について複数タイプの評価を受け付ける処理を実行させ、
前記複数タイプは、評価の入力に応じて他の端末にリアルタイムで入力された評価を表示される第１のタイプと、評価の入力に応じて他の端末にリアルタイムで入力された評価を表示されない第２のタイプを含む、
ことを特徴とする評価プログラム。
【請求項１８】
コンピュータに、
カメラで撮影した動画像を送信し、
送信された前記動画像の再生機能と該動画像の再生中の評価の入力機能とを有する評価端末における評価を取得し、取得した前記評価に基づく情報を、前記カメラの撮影側に設けられたディスプレイに表示する
処理を実行させることを特徴とする表示プログラム。
【発明の詳細な説明】
【技術分野】
【０００１】
本発明は、発表評価システム等に関する。
【背景技術】
【０００２】
近年、小中学校の教育現場では、タブレット端末を児童生徒に配布し、各種の授業を行う際にタブレット端末を活用している。
【０００３】
例えば、自己紹介資料を手元のタブレット端末に表示させ、グループのメンバに写真や動画を再生しながら、自己紹介を行う授業が行われている。このようなタブレット端末の利用は、一般的には「アクティブラーニング」と呼ばれており、小中学校のタブレット端末の普及に合わせて、アクティブラーニングのニーズも高まっている。
【先行技術文献】
【特許文献】
【０００４】
【特許文献１】特開２００５−８４９８６号公報
【発明の概要】
【発明が解決しようとする課題】
【０００５】
しかしながら、上述した従来技術では、発表者に対して発表内容の評価を効果的に通知することができないという問題がある。
【０００６】
例えば、グループ学習で発表の練習を行うシーンがあるが、現状では、周りの評価者は紙に特筆すべき点をメモに残して、発表後に発表者にアドバイスをしている。小中学校等の評価することに慣れていない児童生徒は、評価基準もバラバラで適格なアドバイスをすることができず、発表者のプレゼンの内容の改善に繋がらない場合がある。
【０００７】
１つの側面では、本発明は、発表者に対して発表内容の評価を効果的に通知することができる発表評価システム、評価端末、撮像端末、評価方法、表示方法、評価プログラムおよび表示プログラムを提供することを目的とする。
【課題を解決するための手段】
【０００８】
第１の案では、発表評価システムは、第１の端末と、１又は複数の端末群と、処理部とを有する。第１の端末は、発表者を撮影するカメラを備える。１又は複数の端末群は、第１の端末で撮影された動画像を受信して、受信した該動画像を再生するとともに、動画像の再生中に発表者の発表に関する評価の入力を受け付ける。処理部は、１又は複数の端末群から入力された各評価を取得し、取得した該各評価に基づいて、評価ポイントの算出処理、又は、評価メッセージの生成処理を行う。
【発明の効果】
【０００９】
発表者に発表の評価を効果的に通知することができる。
【図面の簡単な説明】
【００１０】
【図１】図１は、本実施例に係る発表評価システムの一例を示す図である。
【図２】図２は、評価端末の表示画面の一例を示す図である。
【図３】図３は、発表中における撮像端末の表示画面の一例を示す図である。
【図４】図４は、発表終了後における撮像端末の表示画面の一例を示す図である。
【図５】図５は、本実施例に係る評価端末の構成を示す機能ブロック図である。
【図６】図６は、総合評価スタンプ情報のデータ構造の一例を示す図である。
【図７】図７は、応援スタンプ情報のデータ構造の一例を示す図である。
【図８】図８は、評価スタンプ情報のデータ構造の一例を示す図である。
【図９】図９は、時間スタンプ情報のデータ構造の一例を示す図である。
【図１０】図１０は、表示処理部の処理を説明するための図である。
【図１１】図１１は、本実施例に係る撮像端末の構成を示す機能ブロック図である。
【図１２】図１２は、総合評価スタンプテーブルのデータ構造の一例を示す図である。
【図１３】図１３は、応援スタンプテーブルのデータ構造の一例を示す図である。
【図１４】図１４は、評価スタンプテーブルのデータ構造の一例を示す図である。
【図１５】図１５は、時間スタンプテーブルのデータ構造の一例を示す図である。
【図１６】図１６は、評価マスタのデータ構造の一例を示す図である。
【図１７】図１７は、メッセージテンプレートのデータ構造の一例を示す図である。
【図１８】図１８は、押下情報テーブルのデータ構造の一例を示す図である。
【図１９】図１９は、本実施例に係る撮像端末の表示処理を示すフローチャートである。
【図２０】図２０は、評価処理の処理手順を示すフローチャートである。
【図２１】図２１は、評価メッセージ生成処理の処理手順を示すフローチャートである。
【図２２】図２２は、評価端末と同様の機能を実現するコンピュータのハードウェア構成の一例を示す図である。
【図２３】図２３は、撮像端末と同様の機能を実現するコンピュータのハードウェア構成の一例を示す図である。
【発明を実施するための形態】
【００１１】
以下に、本願の開示する発表評価システム、評価端末、撮像端末、評価方法、表示方法、評価プログラムおよび表示プログラムの実施例を図面に基づいて詳細に説明する。なお、この実施例によりこの発明が限定されるものではない。
【実施例】
【００１２】
図１は、本実施例に係る発表評価システムの一例を示す図である。図１に示すように、この発表評価システム１は、評価端末１００ａ、１００ｂ、１００ｃ、１００ｄと、撮像端末２００とを有する。撮像端末２００および評価端末１００ａ〜１００ｄは、無線ＬＡＮ（Local  Area  Network）等を介して相互に接続される。撮像端末２００は、発表者２０を撮影可能な位置に配置される。また、評価端末１００ａ〜１００ｄは、評価者１０ａ〜１０ｄによりそれぞれ操作される。以下の説明では、評価端末１００ａ〜１００ｄをまとめて、適宜、評価端末１００と表記する。評価者１０ａ〜１０ｄをまとめて、評価者１０と表記する。評価端末１００は、複数の端末群に対応し、撮像端末２００は、第１の端末に対応する。
【００１３】
撮影端末２００は、発表者２０の動画像を撮影し、撮影した動画像の情報を評価端末１００に送信する。撮像端末２００は、評価端末１００から発表者２０に関する各評価者１０ａ〜１０ｄの評価結果を受信し、評価ポイントの算出、および、評価メッセージを生成する。撮像端末２００は、評価メッセージ等を発表者２０が確認可能なディスプレイに表示する。以下の説明では、撮影端末２００が撮影した動画像の情報を、動画像データと表記する。
【００１４】
評価端末１００は、撮像端末２００から動画像データを受信し、受信した動画像データを表示する。評価端末１００は、表示した動画像データまたは発表者を参照する評価者１０からの評価の入力を受け付ける。評価端末１００は、受け付けた評価結果を、撮像端末２００に送信する。
【００１５】
図２は、評価端末の表示画面の一例を示す図である。図２に示すように、この評価端末１００の表示画面３０には、動画表示領域３０ａと、サムネイル表示領域３０ｂと、タイムライン領域３０ｃと、スタンプ領域３０ｄとを有する。
【００１６】
動画表示領域３０ａは、撮影端末２００から送信される動画像データを表示する領域である。
【００１７】
サムネイル表示領域３０ｂは、動画像データを構成する複数の画像のサムネイル画像を表示する領域である。サムネイル表示領域３０ｂにおいて、各サムネイル画像は、再生タイミングを示す時間軸上に配置される。
【００１８】
タイムライン領域３０ｃは、動画像データの再生タイミングを示すタイムラインを表示する領域である。例えば、評価者１０は、後述するスタンプ領域３０ｄに配置された各種のスタンプを、タイムライン領域３０ｃにドラッグすることで、評価を行う。タイムライン領域３０ｃに配置されたスタンプに対応する評価結果は、撮像端末２００に通知され、撮像端末２００にリアルタイムに表示される。
【００１９】
スタンプ領域３０ｄは、総合評価スタンプ領域３１ａと、応援スタンプ領域３１ｂと、評価スタンプ領域３１ｃと、時間スタンプ領域３１ｄを有する。
【００２０】
総合評価スタンプ領域３１ａには、発表終了後の総合評価を行うためのスタンプを表示する領域である。以下の説明では、総合評価を行うためのスタンプを「総合評価スタンプ」と表記する。総合評価スタンプは、撮像端末２００には、リアルタイムに表示されない。
【００２１】
応援スタンプ領域３１ｂは、発表者を応援するためのスタンプを表示する領域である。以下の説明では、発表者を応援するためのスタンプを「応援スタンプ」と表記する。評価者１０が応援スタンプを押下することで、対応する応援スタンプが、撮像端末２００にリアルタイムに一定時間表示される。評価者１０が応援スタンプを押下できる回数には上限がある。
【００２２】
評価スタンプ領域３１ｃは、発表者を評価するためのスタンプを表示する領域である。以下の説明では、発表者を評価するためのスタンプを「評価スタンプ」と表記する。評価者１０が評価スタンプを押下することで、所定の表示ルールに従って、撮像端末２００にリアルタイムに表示される。
【００２３】
時間スタンプ領域３１ｄは、発表時間を評価するためのスタンプを表示する領域である。以下の説明では、発表時間を評価するためのスタンプを「時間スタンプ」と表記する。
【００２４】
図３は、発表中における撮像端末の表示画面の一例を示す図である。図３に示すように、この撮像端末２００の表示画面４０には、時間表示領域４０ａと、応援領域４０ｂと、評価領域４０ｃと、タイムライン領域４０ｄとを有する。
【００２５】
時間表示領域４０ａは、発表の残り時間を表示する領域である。応援領域４０ｂは、評価者１０に応援スタンプが押下された場合に、評価者１０が応援していることを示す応援画像を表示する領域である。
【００２６】
評価領域４０ｃは、評価者１０により押下された評価スタンプの集計結果と、所定の表示ルールに従って評価画像および評価メッセージを表示する領域である。
【００２７】
タイムライン領域４０ｄは、動画像データの再生タイミングを示すタイムラインを表示する領域である。タイムライン領域４０ｃは、図２で説明したタイムライン領域３０ｃに配置される各種のスタンプを表示する。
【００２８】
図４は、発表終了後における撮像端末の表示画面の一例を示す図である。図４に示すように、この撮像端末２００の表示画面５０には、総合評価領域５０ａと、発表時間領域５０ｂと、タイムライン領域５０ｃと、応援結果領域５０ｄとを有する。
【００２９】
総合評価領域５０ａは、発表内容の総合評価結果を表示する領域である。発表時間領域５０ｂは、発表時間を表示する領域である。
【００３０】
タイムライン領域５０ｃは、各評価者１０の評価端末１００のタイムライン領域５２ａ〜５２ｄの情報と、各タイムライン領域５２ａ〜５２ｄをまとめたタイムライン領域５１を有する。なお、タイムライン領域５１には、タイムライン領域５２ａ〜５２ｄに配置されたスタンプの内、評価スタンプの情報を表示させる。また、領域５３には、各評価者１０の総合評価スタンプが表示される。
【００３１】
応援結果領域５０ｄは、発表期間における応援スタンプの集計結果を表示する領域である。
【００３２】
続いて、図１に示した評価端末１００の構成の一例について説明する。図５は、本実施例に係る評価端末の構成を示す機能ブロック図である。図５に示すように、評価端末１００ａは、通信部１１０と、操作部１２０と、記憶部１３０と、制御部１４０とを有する。評価端末１００ｂ〜１００ｄの構成は、評価端末１００ａの構成と同様である。
【００３３】
通信部１１０は、無線ＬＡＮ（Local  Area  Network）等を用いて、撮像端末２００とデータ通信を実行する処理部である。後述する制御部１４０は、通信部１１０を介して、撮像端末２００とデータをやり取りする。通信部１１０は、通信装置に対応する。
【００３４】
操作部１２０は、評価者１０の操作を受け付ける処理部であり、例えば、タッチパネルに対応する。操作部１２０は、撮像端末２００に撮影され、評価端末１００ａに表示された動画像データに対する各種の評価を受け付ける。例えば、各種の評価は、図２に示した総合評価スタンプ、応援スタンプ、評価スタンプの押下に対応する。
【００３５】
操作部１２０は、タッチパネルであるため、制御部１４０から出力される情報を表示する機能も有する。例えば、操作部１２０は、図２に示した表示画面３０、図４に示した表示画面５０の情報を表示する。
【００３６】
記憶部１３０は、バッファ１３１、総合評価スタンプ情報１３２、応援スタンプ情報１３３、評価スタンプ情報１３４、時間スタンプ情報１３５を有する。記憶部１３０は、ＲＡＭ（Random  Access  Memory）、ＲＯＭ（Read  Only  Memory）、フラッシュメモリ（Flash  Memory）などの半導体メモリ素子や、ＨＤＤ（Hard  Disk  Drive）などの記憶装置に対応する。
【００３７】
バッファ１３１は、撮像端末２００のカメラ２１０に撮影された動画像データを格納するバッファである。
【００３８】
総合評価スタンプ情報１３２は、総合評価スタンプに関する情報である。図６は、総合評価スタンプ情報のデータ構造の一例を示す図である。図６に示すように、この総合評価スタンプ情報１３２は、種類と、識別番号と、画像とを対応付ける。種類は、スタンプの種類を示すものである。例えば、総合評価スタンプの種類は「総合評価」となる。識別番号は、スタンプを一意に識別する情報である。画像は、総合評価スタンプの画像である。各総合評価スタンプの画像は、図２の総合評価スタンプ領域３１ａに表示される。
【００３９】
識別番号「Ａ０１」の総合評価スタンプは、評価者１０が「とてもよい発表内容だった」と判断した場合に、評価者１０に押下される。識別番号「Ａ０２」の総合評価スタンプは、評価者１０が「普通の発表だった」と判断した場合に、評価者１０に押下される。識別番号「Ａ０３」の総合評価スタンプは、評価者１０が「あまりよい発表ではない」と判断した場合に、評価者１０に押下される。
【００４０】
評価者１０は、操作部１２０を操作して、総合評価スタンプを何度でも押下することができる。最後に押下された総合評価スタンプが、評価端末１００に表示される。また、最後に押下された総合評価スタンプが、評価者１０の発表者２０に対する総合評価となる。
【００４１】
応援スタンプ情報１３３は、応援スタンプに関する情報である。図７は、応援スタンプ情報のデータ構造の一例を示す図である。図７に示すように、応援スタンプ情報１３３は、種類と、識別番号と、画像とを対応付ける。種類は、スタンプの種類を示すものである。例えば、応援スタンプの種類は「応援」となる。識別番号は、スタンプの種別を一意に識別する情報である。画像は、応援スタンプの画像である。各応援スタンプの画像は、図
２の応援スタンプ領域３１ｂに表示される。
【００４２】
識別番号「Ｂ０１」の応援スタンプは、評価者１０が発表者２０に対して、「今の調子でがんばって」と応援した場合に、評価者１０に押下される。識別番号「Ｂ０２」の応援スタンプは、評価者１０が発表者２０に対して、「一番いい発表」と応援したい場合に、評価者１０に押下される。
【００４３】
評価者１０は、操作部１２０を操作して、応援スタンプを押下すると、撮像端末２００に一定時間、押下された応援スタンプが表示される。評価者１０が応援スタンプを一度押下した場合には、一定時間応援ボタンを押下できないように、評価端末１００に制御される。また、複数の評価端末１００により、応援スタンプが押下された場合には、応援スタンプが強調された状態で、撮像端末２００に表示される。
【００４４】
評価スタンプ情報１３４は、評価スタンプに関する情報である。図８は、評価スタンプ情報のデータ構造の一例を示す図である。図８に示すように、評価スタンプ情報１３４は、種類と、識別番号と、画像とを対応付ける。種類は、評価スタンプの種類を示すものである。識別番号は、スタンプを一意に識別する情報である。評価スタンプの種類には、「視線」、「声の大きさ」、「ジェスチャー」が含まれる。識別番号は、スタンプの種別を一意に識別する情報である。画像は、評価スタンプの画像である。各評価スタンプの画像は、図２の評価スタンプ領域３１ｃに表示される。
【００４５】
識別番号「Ｃ０１」の評価スタンプは、評価者１０が発表者２０に対して「視線が良くない」と判断した場合に、評価者１０に押下される。識別番号「Ｃ０２」の評価スタンプは、評価者１０が発表者２０に対して「まわりに気を配っている」と判断した場合に、評価者１０に押下される。識別番号「Ｄ０１」の評価スタンプは、評価者１０が発表者２０に対して「滑舌が良くない」と判断した場合に、評価者１０に押下される。
【００４６】
識別番号「Ｄ０２」の評価スタンプは、評価者１０が発表者２０に対して「声が大きすぎる」と判断した場合に、評価者１０に押下される。識別番号「Ｄ０３」の評価スタンプは、評価者１０が発表者２０に対して「すこし声が小さい」と判断した場合に、評価者１０に押下される。
【００４７】
識別番号「Ｅ０１」の評価スタンプは、評価者１０が発表者２０に対して「身振り手振りがすばらしい」と判断した場合に、評価者１０に押下される。識別番号「Ｅ０２」の評価スタンプは、評価者１０が発表者２０に対して「動きがほとんどない」と判断した場合に、評価者１０に押下される。
【００４８】
評価者１０は、操作部１２０を操作して、評価スタンプを押下し、押下したタイミングから前一定時間の間に、同じ評価スタンプを押下した他の評価者が一定数以上いた場合に、撮像端末２００に押下された評価スタンプの画像が一定時間表示される。また、撮像端末２００のタイムライン領域４０ｄに、評価スタンプが追加される。
【００４９】
また、評価スタンプが撮像端末２００に表示されている間に、他の評価者が同じ評価スタンプを押下した場合には、評価スタンプの画像の表示時間が一定時間延長される。
【００５０】
時間スタンプ情報１３５は、時間スタンプに関する情報である。図９は、時間スタンプ情報のデータ構造の一例を示す図である。図９に示すように、時間スタンプ情報１３５は、種類と、識別番号と、画像とを対応付ける。種類は、時間スタンプの種類を示すものである。識別番号は、スタンプを一意に識別する情報である。画像は、時間スタンプの画像である。各画像スタンプの画像は、図２の時間スタンプ領域３１ｄに表示される。
【００５１】
識別番号「Ｔ０１」の時間スタンプは、評価者１０が「発表時間が長い」と判断した場合に、評価者１０に押下される。識別番号「Ｔ０２」の時間スタンプは、評価者１０が「発表時間が丁度いい」と判断した場合に、評価者１０に押下される。識別番号「Ｔ０３」の時間スタンプは、評価者１０が「評価時間が短い」と判断した場合に、評価者１０に押下される。評価スタンプは、発表終了時に評価端末１００に表示され、評価者１０は一度だけ押下することができる。
【００５２】
制御部１４０は、受信部１４１と、動画像再生部１４２と、表示処理部１４３とを有する。制御部１４０は、ＣＰＵ（Central  Processing  Unit）やＭＰＵ（Micro  Processing  Unit）などによって実現できる。また、制御部１４０は、ＡＳＩＣ（Application  Specific  Integrated  Circuit）やＦＰＧＡ（Field  Programmable  Gate  Array）などのハードワイヤードロジックによっても実現できる。
【００５３】
受信部１４１は、撮像端末２００から動画像データを受信する処理部である。受信部１４１は、受信した動画像データを、バッファ１３１に格納する。例えば、動画像データは、複数の連続する画像から構成され、各画像は、撮影された時刻の情報と対応付けられる。
【００５４】
動画像再生部１４２は、バッファ１３１に格納された動画像データを読み出し、読み出した動画像データを、タッチパネルの所定領域に表示させる処理部である。例えば、動画像再生部１４２は、動画像データを再生し、図２に示した評価端末１００の動画表示領域３０ａに表示させる。例えば、タッチパネルは、操作部１２０に対応する。
【００５５】
また、動画像再生部１４２は、動画像データに含まれる各画像を縮小したサムネイル画像を生成し、図２に示したサムネイル表示領域３０ｂに表示させる。動画像再生部１４２は、各サムネイル画像を、再生タイミングを示す時間軸に合わせて表示させる。例えば、動画像再生部１４２は、サムネイル画像の元となる画像の時刻を基準にして、各サムネイル画像を配置する。
【００５６】
表示処理部１４３は、図２に示したタイムライン領域３０ｃの画像、スタンプ領域３０ｄの画像を表示する処理部である。評価者１０は、操作部１２０を操作して、スタンプ領域３０ｄの画像を押下することで、発表者２０の発表を評価する。
【００５７】
表示処理部１４３は、タイムライン領域３０ｃにタイムラインの画像を表示させる。タイムラインは、動画像データの再生タイミングに対応付けられているものとする。
【００５８】
表示処理部１４３は、評価端末１００のスタンプ領域３０ｄに、総合評価スタンプ、応援スタンプ、評価スタンプ、時間スタンプの画像を表示させる。表示処理部１４３は、総合評価スタンプ、応答スタンプ、評価スタンプ、時間スタンプの画像を、総合評価スタンプ情報１３２、応援スタンプ情報１３３、評価スタンプ情報１３４、時間スタンプ情報１３５から取得する。
【００５９】
表示処理部１４３は、スタンプ領域３０ｄに配置したスタンプの領域と、スタンプの識別番号を対応付けたテーブルを生成しておく。評価者１０が、操作部１２０を操作して、表示画面のある場所を押下すると、押下された場所の座標と、テーブルのスタンプの領域とを比較して、押下されたスタンプを識別する。
【００６０】
表示処理部１４３は、押下されたスタンプを識別すると、評価者識別番号と、押下されたスタンプの識別番号と、スタンプが押下された時刻とを対応付けた情報を、撮像端末２００に送信する。評価者識別番号は、評価者を一意に識別する情報であり、評価端末１００に予め設定されているものとする。以下の説明では、評価者識別番号と、押下されたスタンプの識別番号と、スタンプが押下された時刻とを対応付けた情報を「押下情報」と表記する。表示処理部１４３は、図示しないタイマから現在時刻の情報を取得するものとする。
【００６１】
図１０は、表示制御部の処理を説明するための図である。例えば、再生時刻ｔａにおいて、動画表示領域３０ａに画像３５が表示され、評価者１０が、表示画面３０の領域３６を押下したとする。表示処理部１４３は、テーブルと領域３６の座標とを比較して、押下されたスタンプの識別番号を特定する。図１０に示す例では、押下されたスタンプの識別番号は「Ｃ０１」のスタンプである。表示処理部１４３は、評価者１０の評価者識別番号と、識別番号「Ｃ０１」と、押下時刻「ｔａ」とを対応付けた押下情報を、撮像端末２００に送信する。
【００６２】
また、表示処理部１４３は、タイムライン領域３０ｃについて、タイムラインの時刻ｔａに対応する位置に、時刻ｔａに押下されたスタンプの画像を配置する。表示処理部１４３は、押下されたスタンプの識別番号と、押下されたタイミングのサムネイル画像とを対応付けても良い。
【００６３】
表示処理部１４３は、評価者１０が操作部１２０を操作して、スタンプを押下する度に、上記処理を繰り返し実行する。なお、表示処理部１４３は、スタンプの種類に応じて、下記の処理を更に実行する。
【００６４】
評価者１０は、総合評価スタンプを何度でも押下することができる。表示処理部１４３は、発表終了情報を受け付けた際に、評価者１０に最後に押下された総合評価スタンプの識別番号を、撮像端末２００に送信する。
【００６５】
表示処理部１４３は、応援スタンプが短期間に連続して押下されることを抑止する処理を実行する。例えば、表示処理部１４３は、応援スタンプが押下された時刻から次に応援スタンプが押下されるまでの時間が、所定時間（３秒）未満の場合には、スタンプが押下された際の処理をスキップ（無効化または非アクティブ）する。
【００６６】
表示処理部１４３は、評価スタンプが短期間に連続して押下されることを抑止する処理を実行する。例えば、表示処理部１４３は、評価スタンプが押下された時刻から次に評価スタンプが押下されるまでの時間が、所定時間（１０秒）未満の場合には、スタンプが押下された際の処理をスキップ（無効化または非アクティブ）する。
【００６７】
表示処理部１４３は、発表終了情報を受け付けた場合に、一度だけ、時間スタンプが押下されることを許容する。
【００６８】
続いて、図１に示した撮像端末２００の構成の一例について説明する。図１１は、本実施例に係る撮像端末の構成を示す機能ブロック図である。図１１に示すように、この撮像端末２００は、カメラ２１０と、通信部２２０と、操作部２３０と、記憶部２４０と、制御部２５０とを有する。
【００６９】
カメラ２１０は、発表者２０の動画像を撮影するカメラである。カメラ２１０は、撮影した動画像の情報（動画像データ）を、制御部２５０に出力する。
【００７０】
通信部２２０は、無線ＬＡＮ等を用いて、評価端末１００とデータ通信を実行する処理部である。後述する制御部２５０は、通信部２２０を介して、評価端末１００とデータをやり取りする。また、通信部２２０は、教師が使用する端末装置とデータ通信を実行しても良い。
【００７１】
操作部２３０は、発表者２０による発表を取り仕切る教師等の操作を受け付ける処理部であり、例えば、タッチパネルに対応する。操作部２３０は、発表者２０による発表の開始および終了のタイミングに関する情報を受け付ける。また、操作部２３０は、タッチパネルであるため、制御部２５０から出力される情報を表示するディスプレイ２３０ａの機能も有する。例えば、操作部２３０は、図３に示した表示画面４０の情報を表示する。
【００７２】
記憶部２４０は、バッファ２４１、総合評価スタンプテーブル２４２、応援スタンプテーブル２４３、評価スタンプテーブル２４４、時間スタンプテーブル２４５、評価マスタ２４６、メッセージテンプレート２４７、押下情報テーブル２４８を有する。記憶部２４０は、ＲＡＭ、ＲＯＭ、フラッシュメモリなどの半導体メモリ素子や、ＨＤＤなどの記憶装置に対応する。
【００７３】
バッファ２４１は、カメラ２１０により撮影された動画像データを格納するバッファである。
【００７４】
総合評価スタンプテーブル２４２は、総合評価スタンプに関する情報を保持するテーブルである。図１２は、総合評価スタンプテーブルのデータ構造の一例を示す図である。図１２に示すように、この総合評価スタンプテーブル２４２は、種類と、識別番号と、画像と、評価内容と、ポイント数とを対応付ける。このうち、種類、識別番号、画像に関する説明は、図６で説明した種類、識別番号、画像に関する説明と同様である。評価内容は、識別番号に識別されるスタンプの評価内容を示すものである。ポイント数は、識別番号に識別されるスタンプのポイント数を示すものであり、後述する評価ポイントを算出する場合に用いられる。
【００７５】
応援スタンプテーブル２４３は、応援スタンプに関する情報を保持するテーブルである。図１３は、応援スタンプテーブルのデータ構造の一例を示す図である。図１３に示すように、この応援スタンプテーブル２３４は、種類と、識別番号と、画像と、最大押下回数と、評価内容とを対応付ける。このうち、種類、識別番号、画像に関する説明は、図７で説明した、種類、識別番号、画像に関する説明と同様である。最大押下回数は、該当する応援スタンプが押下された回数を示す。評価内容は、識別番号に識別されるスタンプの評価内容を示すものである。
【００７６】
評価スタンプテーブル２４４は、評価スタンプに関する情報を保持するテーブルである。図１４は、評価スタンプテーブルのデータ構造の一例を示す図である。図１４に示すように、この評価スタンプテーブル２４４は、種類と、識別番号と、画像と、評価内容と、表示メッセージと、発表評価メッセージとを対応付ける。このうち、種類、識別番号、画像に関する説明は、図８で説明した、種類、識別番号、画像に関する説明と同様である。評価内容は、識別番号に識別されるスタンプの評価内容を示すものである。表示メッセージは、発表者２０の発表中において、撮像端末２００に表示されるメッセージである。発表評価メッセージは、発表終了時に生成される評価メッセージの一部に使用されるメッセージである。
【００７７】
時間スタンプテーブル２４５は、時間スタンプに関する情報を保持するテーブルである。図１５は、時間スタンプテーブルのデータ構造の一例を示す図である。図１５に示すように、この時間スタンプテーブル２４５は、種類と、識別番号と、画像と、評価内容と、時間評価メッセージとを対応付ける。このうち、種類、識別番号、画像に関する説明は、図９で説明した、種類、識別番号、画像に関する説明と同様である。評価内容は、識別番号に識別されるスタンプの評価内容を示すものである。時間評価メッセージは、発表終了時に生成される評価メッセージの一部に使用されるメッセージである。
【００７８】
評価マスタ２４６は、発表者２０の発表終了時に生成する評価メッセージの一部に使用される総合評価メッセージを特定するためのテーブルである。図１６は、評価マスタのデータ構造の一例を示す図である。図１６に示すように、この評価マスタ２４６は、評価ポイント合計値と、応援スタンプ数と、評価区分と、総合評価メッセージとを対応付ける。評価ポイント数は、評価者１０が押下した総合評価スタンプにより算出されるポイント数である。応援スタンプ数は、評価者１０が押下した応援スタンプの数である。評価区分は、評価者１０が押下した評価スタンプにより区分された評価を示し、高評価、通常評価、低評価のいずれかに区分される。総合評価メッセージは、発表者２０の発表終了時に生成される評価メッセージの一部に使用されるものである。
【００７９】
メッセージテンプレート２４７は、発表者２０の発表終了時に生成される評価メッセージのテンプレートである。図１７は、メッセージテンプレートのデータ構造の一例を示す図である。図１７に示すように、このメッセージテンプレート２４７は、高評価メッセージ２４７ａ、通常評価メッセージ２４７ｂ、低評価メッセージ２４７ｃを有する。
【００８０】
評価者１０による評価スタンプにより、発表内容が「高評価」であると判定された場合に、高評価メッセージ２４７ａを用いて、評価メッセージが生成される。高評価メッセージ２４７ａに含まれる「＜＜＞＞」で囲まれた領域に該当する文言を配置することで、評価メッセージが生成される。＜＜発表時間＞＞には、発表者２０の発表時間が配置される。＜＜総合評価メッセージ＞＞には、図１６に示した評価マスタ２４６で決定される総合評価メッセージが配置される。＜＜時間評価メッセージ＞＞には、図１５に示した時間スタンプテーブル２４５の時間評価メッセージが配置される。＜＜発表評価メッセージ＞＞には、図１４に示した評価スタンプテーブル２４４の発表評価メッセージが配置される。
【００８１】
評価者１０による評価スタンプにより、発表内容が「普通評価」であると判定された場合に、通常評価メッセージ２４７ｂを用いて、評価メッセージが生成される。通常評価メッセージ２４７ｂに含まれる「＜＜＞＞」で囲まれた領域に該当する文言を配置することで、評価メッセージが生成される。「＜＜＞＞」で囲まれた領域に関する説明は、高評価メッセージ２４７ａで説明したものと同様である。
【００８２】
評価者１０による評価スタンプにより、発表内容が「低評価」であると判定された場合に、低評価メッセージ２４７ｃを用いて、評価メッセージが生成される。低評価メッセージ２４７ｃに含まれる「＜＜＞＞」で囲まれた領域に該当する文言を配置することで、評価メッセージが生成される。「＜＜＞＞」で囲まれた領域に関する説明は、高評価メッセージ２４７ａで説明したものと同様である。
【００８３】
押下情報テーブル２４８は、評価端末１００から受信する押下情報を登録するテーブルである。図１８は、押下情報テーブルのデータ構造の一例を示す図である。図１８に示すように、この押下情報テーブル２４８は、総合評価スタンプ押下管理テーブル２４８ａと、時間評価スタンプ押下管理テーブル２４８ｂと、応援／評価スタンプ押下管理テーブル２４８ｃとを有する。
【００８４】
総合評価スタンプ押下管理テーブル２４８ａは、評価者１０が最後に押下した総合評価スタンプの情報を保持するテーブルである。図１８に示すように、総合評価スタンプ押下管理テーブル２４８ａは、評価者識別番号と、識別番号とを対応付ける。評価者識別番号は、評価者１０を一意に識別する情報である。識別番号は、総合評価スタンプを一意に識別する情報である。
【００８５】
時間評価スタンプ押下管理テーブル２４８ｂは、評価者１０が最後に押下した時間スタンプの情報を保持するテーブルである。図１８に示すように、時間評価スタンプ押下管理テーブル２４８ｂは、評価者識別番号と、識別願号とを対応付ける。評価者識別番号は、評価者１０を一意に識別する情報である。識別番号は、時間スタンプを一意に識別する情報である。
【００８６】
応援／評価スタンプ押下管理テーブル２４８ｃは、評価者１０が押下した応援スタンプまたは評価スタンプの情報を保持するテーブルである。図１８に示すように、応援／評価スタンプ押下管理テーブル２４８ｃは、評価者識別番号と、識別番号と、押下時刻とを対応付ける。評価者識別番号は、評価者１０を一意に識別する情報である。識別番号は、応援スタンプ、評価スタンプを一意に識別する情報である。押下時刻は、該当スタンプが押下された時刻を示す。
【００８７】
図１１の説明に戻る。制御部２５０は、取得部２５１と、送信部２５２と、表示制御部２５３とを有する。制御部２５０は、ＣＰＵやＭＰＵなどによって実現できる。また、制御部２５０は、ＡＳＩＣやＦＰＧＡなどのハードワイヤードロジックによっても実現できる。表示制御部２５３は、処理部の一例である。
【００８８】
取得部２５１は、カメラ２１０から動画像データを取得する処理部である。取得部２５１は、取得した動画像データを、バッファ２４１に格納する。
【００８９】
送信部２５２は、バッファ２４１に格納される動画像データを、評価端末１００に送信する処理部である。
【００９０】
表示制御部２５３は、動画像データに関する評価者１０の評価を評価端末１００から取得し、ディスプレイ２３０ａに、評価に基づく情報を表示する処理部である。以下において、表示制御部２５３の処理の一例について説明する。
【００９１】
表示制御部２５３は、通信部２２０、操作部２３０等を介して、発表者２０が発表を開始した旨の情報および発表を終了した旨の情報を取得するものとする。表示制御部２５３は、開始を開始した旨の情報を受け付けた場合には、動画像データの撮影に関する経過時間を、ディスプレイ２３０ａに表示する。例えば、表示制御部２５３は、図３に示した時間表示領域４０ａに、発表の残り時間を表示する。発表時間は、表示制御部２５３に事前に設定されているものとする。表示制御部２５３は、発表を開始した時点のタイマの時刻と、経過時刻と、発表時間とを基に、残り時間を算出する。
【００９２】
表示制御部２５３は、発表が開始されると、評価端末１００から押下情報を受信する。表示制御部２５３は、押下情報を受信する度に、押下情報テーブル２４８に押下情報を登録する。表示制御部２５３は、押下情報の識別番号が、総合評価スタンプに対応する場合には、押下情報を、総合評価スタンプ押下管理テーブル２４８ａに登録する。表示制御部２５３は、押下情報の識別番号が、時間スタンプに対応する場合には、押下情報を、時間評価スタンプ押下管理テーブル２４８ｂに登録する。表示制御部２５３は、押下情報の識別番号が、応援スタンプまたは評価スタンプに対応する場合には、押下情報を、応援／評価スタンプ押下テーブル２４８ｃに登録する。
【００９３】
表示制御部２５３が、応援スタンプに関する押下情報を受信した場合の表示処理について説明する。表示制御部２５３は、応援スタンプに関する押下情報を受信すると、ディスプレイ２３０ａの応援領域４０ｂに、応援スタンプの画像を一定時間表示させる。例えば、表示制御部２５３は、応援スタンプの画像を３秒間表示させる。また、表示制御部２５３は、応援スタンプテーブル２４３を参照し、応援スタンプの識別番号に対応する評価内容を、応援領域４０ｂに表示させても良い。
【００９４】
表示制御部２５３は、ある評価端末１００から応援スタンプに関する押下情報を受信して応援スタンプの画像を、応援領域４０ｂに表示している間に、他の端末装置１００から、応援スタンプに関する押下情報を受信した場合には、次の処理を実行する。表示制御部２５３は、応援領域４０ｂに表示中の応援スタンプの画像を拡大して表示する。
【００９５】
表示制御部２５３が、評価スタンプに関する押下情報を受信した場合の表示処理について説明する。表示制御部２５３は、評価スタンプに関する押下情報を受信すると、応援／評価スタンプ押下管理テーブル２４８ｃを参照し、次の処理を実行する。表示制御部２５３は、一定時間の間に、同一の評価スタンプを押下した評価者１０が所定人数以上いるか否かを判定する。例えば、表示制御部２５３は、押下情報の押下時刻を基準として、一定時間溯り、同一の識別番号が、所定数以上存在する場合に、一定時間の間に、同一の評価スタンプを押下した評価者１０が所定人数以上いるか否かを判定する。
【００９６】
表示制御部２５３は、一定時間の間に、同一の評価スタンプを押下した評価者１０が所定人数以上いると判定した場合には、押下情報に対応する評価スタンプの画像を、評価領域４０ｃに表示させる。また、押下情報の押下時刻を基にして、タイムライン領域４０ｄに、評価スタンプの画像を表示させる。表示制御部２５３は、押下情報の識別番号に対応する表示メッセージの情報を、評価領域４０ｃに表示させる。
【００９７】
表示制御部２５３は、評価領域４０ｃに上記の評価スタンプの画像を表示している間に、他の評価端末１００から押下情報を取得し、押下情報の識別番号が、表示中の評価スタンプの識別番号と同一である場合には、次の処理を実行する。表示制御部２５３は、表示中の評価スタンプの画像の表示時間を一定時間延長する。
【００９８】
表示制御部２５３が、発表終了後に、総合評価スタンプに関する押下情報を受信した場合の表示処理について説明する。まず、表示制御部２５３は、全ての評価端末１００から、総合評価スタンプに関する押下情報を受信し、受信した押下情報を、総合評価スタンプ押下テーブル２４８ａに登録する。表示制御部２５３は、評価端末１００を操作する全評価者１０の評価識別番号の情報を保持しており、係る情報と、押下情報に含まれる評価識別番号とを比較することで、全ての評価端末１００から、総合評価スタンプに関する押下情報を受信したか否かを判定する。
【００９９】
表示制御部２５３は、全ての評価端末１００から、総合評価スタンプに関する押下情報を受信すると、評価マスタ２４６を用いて、評価ポイント合計値を算出する処理、評価メッセージを生成する処理を実行する。
【０１００】
表示制御部２５３が、評価ポイント合計値を算出する処理について説明する。表示制御部２５３は、押下情報の識別番号と、総合評価スタンプテーブル２４２とを比較して、ポイント数を特定する。表示制御部２６３は、総合評価スタンプに関する全押下情報のポイント数を合計することで、評価ポイント合計値を算出する。
【０１０１】
表示制御部２５３が、評価メッセージを生成する処理について説明する。表示制御部２５３は、評価メッセージを生成するには、評価区分を判定し、判定した評価区分に対応するテンプレートを、メッセージテンプレート２４７から取得する。
【０１０２】
表示制御部２５３が、評価区分を特定する処理の一例について説明する。表示制御部２５３は、応援／評価スタンプ押下管理テーブル２４８ｃを参照し、識別番号が評価スタンプに対応するエントリを特定する。表示制御部２５３は、特定したエントリのうち、高評価に分類される評価スタンプの数と、低評価に分類される評価スタンプの数を特定する。例えば、識別番号「Ｃ０２、Ｂ０１」の評価スタンプは、高評価に分類される評価スタンプとなる。識別番号「Ｃ０１、Ｄ０１、Ｄ０２、Ｄ０３、Ｅ０２」の評価スタンプは、低評価に分類される評価スタンプとなる。
【０１０３】
表示制御部２５３は、高評価に分類される評価スタンプの数が、低評価に分類される評価スタンプの数よりも閾値以上多い場合には、評価区分を「高評価」と判定する。表示制御部２５３は、低評価に分類される評価スタンプの数が、高評価に分類される評価スタンプの数よりも閾値以上多い場合には、評価区分を「低評価」と判定する。
【０１０４】
表示制御部２５３は、上記判定基準に該当しない場合や、高評価に分類される評価スタンプの数と低評価に分類される評価スタンプの数との合計数が一定数未満である場合には、評価区分を「通常評価」と判定する。
【０１０５】
なお、表示制御部２５３は、次の処理を実行することで、評価区分を特定しても良い。表示制御部２５３は、応援／評価スタンプ押下管理テーブル２４８ｃを参照し、識別番号が評価スタンプに対応するエントリを特定する。表示制御部２５３は、特定した各エントリの識別番号を参照し、最も多い識別番号を特定する。表示制御部２５３は、特定した識別番号に対応する評価区分を、特定対象の評価区分とする。なお、上記の説明では、各識別番号を、高評価、低評価に分類しているが、いずれかの識別番号を、通常評価に分類しても良い。
【０１０６】
表示制御部２５３は、評価区分を決定すると、評価区分に対応するテンプレートを、メッセージテンプレート２４７から取得する。表示制御部２５３は、図１７で説明したテンプレートの「＜＜発表時間＞＞、＜＜総合評価メッセージ＞＞、＜＜時間評価メッセージ＞＞、＜＜発表評価メッセージ＞＞」に配置すべき情報を特定する。
【０１０７】
表示制御部２５３が、＜＜発表時間＞＞に配置する情報を特定する処理について説明する。以下の説明では、＜＜発表時間＞＞に配置する情報を、発表時間情報と表記する。表示制御部２５３は、発表を開始した旨の情報を受け付けてから、発表を終了した旨の情報を受け付けるまでの時間をタイマから取得する。表示制御部２５３は、取得したタイマ時間を「○○分○○秒」の文字列に変換することで、発表時間情報を特定する。
【０１０８】
表示制御部２５３が、＜＜総合評価メッセージ＞＞に配置する情報を特定する処理について説明する。以下の説明では、＜＜総合評価メッセージ＞＞に配置する情報を、総合評価メッセージと表記する。表示制御部２５３は、評価マスタ２４６と、評価ポイント合計値、応援スタンプ数、評価区分とを比較することで、総合評価メッセージを特定する。このうち、評価ポイント合計値、評価区分を特定する処理は、上記処理と同様である。
【０１０９】
表示制御部２５３が、応援スタンプ数を特定する処理について説明する。表示制御部２５３は、応援／評価スタンプ押下管理テーブル２４８ｃを参照し、識別番号が応援スタンプに対応するエントリの数を計数することで、応援スタンプ数を特定する。例えば、識別番号が「Ｂ」から始まるエントリが、応援スタンプのエントリに対応する。
【０１１０】
表示制御部２５３が、＜＜時間評価メッセージ＞＞に配置する情報を特定する処理について説明する。＜＜時間評価メッセージ＞＞に配置する情報を、時間評価メッセージと表記する。表示制御部２５３は、発表終了後に、時間スタンプに関する押下情報を受信して、時間評価スタンプ押下管理テーブル２４８ｂに登録しておくものとする。
【０１１１】
表示制御部２５３は、時間評価スタンプ押下管理テーブル２４８ｂを参照し、識別番号「Ｔ０１、Ｔ０２、Ｔ０３」のうち、最も多い識別番号を特定する。表示制御部２５３は、特定した識別番号と、時間スタンプテーブル２４５とを比較することで、時間評価メッセージを特定する。
【０１１２】
表示制御部２５３が、＜＜発表評価メッセージ＞＞に配置する情報を特定する処理について説明する。＜＜発表評価メッセージ＞＞に配置する情報を、発表評価メッセージと表記する。表示制御部２５３は、応援／評価スタンプ押下管理テーブル２４８ｃを参照し、評価スタンプの識別番号のうち、最も多い識別番号を特定する。表示制御部２５３は、特定した識別番号と、評価スタンプテーブル２４４とを比較することで、発表評価メッセージを特定する。
【０１１３】
上記のように、表示制御部２５３は、評価区分に対応するテンプレートに、発表時間情報、総合評価メッセージ、時間評価メッセージ、発表評価メッセージを配置することで、評価メッセージを生成する。発表終了時に、表示制御部２５３は、生成した評価メッセージを、総合評価領域５０ａおよび発表時間領域５０ｂに表示させる。
【０１１４】
また、表示制御部２５３は、評価ポイント合計値に応じたシンボルの画像を複数用意しておき、評価ポイント合計値に応じたシンボルを、総合評価領域５０ａに表示させても良い。
【０１１５】
表示制御部２５３は、発表終了後において、タイムライン領域５０ｃに、各種の情報を表示させる。表示制御部２５３は、押下情報テーブル２４８を参照し、各タイムライン領域５２ａ〜５２ｄに対応する画像を配置する。表示制御部２５３は、各タイムライン領域５２ａ〜５２ｄをまとめることで、タイムライン領域５１に画像を配置する。表示制御部２５３は、応援スタンプ数を基にして、応援結果領域５０ｄに対応する応援スタンプの画像と数とを対応付けて表示する。
【０１１６】
表示制御部２５３が、発表終了後に、時間スタンプに関する押下情報を受信した場合の表示処理について説明する。表示制御部２５３は、全ての評価端末１００から、時間評価スタンプに関する押下情報を受信し、受信した押下情報を、時間評価スタンプ押下テーブル２４８ｂに登録する。
【０１１７】
次に、本実施例に係る撮像端末２００の表示処理の処理手順について説明する。図１９は、本実施例に係る撮像端末の表示処理を示すフローチャートである。図１９に示すように、撮像端末２００の表示制御部２５３は、評価端末１００から、押下情報を取得したか否かを判定する（ステップＳ１０１）。表示制御部２５３は、押下情報を取得していない場合には（ステップＳ１０１，Ｎｏ）、再度、ステップＳ１０１に移行する。
【０１１８】
表示制御部２５３は、押下情報を取得した場合には（ステップＳ１０１，Ｙｅｓ）、押下情報に含まれる評価者識別番号、識別番号、時刻を対応付けて、押下情報テーブル２４８に登録する（ステップＳ１０２）。
【０１１９】
表示制御部２５３は、押下されたスタンプが応援スタンプである場合には（ステップＳ１０３，Ｙｅｓ）、応援スタンプを表示し（ステップＳ１０４）、ステップＳ１０８に移行する。表示制御部２５３は、押下されたスタンプが応援スタンプでない場合には（ステップＳ１０３，Ｎｏ）、ステップＳ１０５に移行する。
【０１２０】
表示制御部２５３は、押下されたスタンプが評価スタンプであるか否かを判定する（ステップＳ１０５）。表示制御部２５３は、押下されたスタンプが評価スタンプでない場合には（ステップＳ１０５，Ｎｏ）、ステップＳ１０８に移行する。
【０１２１】
表示制御部２５３は、押下されたスタンプが評価スタンプである場合には（ステップＳ１０５，Ｙｅｓ）、所定時間幅において、評価スタンプが複数回押下されたか否かを判定する（ステップＳ１０６）。表示制御部２５３は、評価スタンプが複数回押下されていない場合には（ステップＳ１０６，Ｎｏ）、ステップＳ１０８に移行する。
【０１２２】
表示制御部２５３は、評価スタンプが複数回押下された場合には（ステップＳ１０６，Ｙｅｓ）、評価スタンプを表示する（ステップＳ１０７）。
【０１２３】
表示制御部２５３は、発表終了であるか否かを判定する（ステップＳ１０８）。表示制御部２５３は、発表終了でない場合には（ステップＳ１０８，Ｎｏ）、ステップＳ１０１に移行する。
【０１２４】
表示制御部２５３は、発表終了である場合には（ステップＳ１０８，Ｙｅｓ）、評価処理を実行する（ステップＳ１０９）。
【０１２５】
続いて、図１９のステップＳ１０９に示した評価処理の一例について説明する。図２０は、評価処理の処理手順を示すフローチャートである。図２０に示すように、撮像端末２００の表示制御部２５３は、全評価端末１００から総合評価スタンプの押下情報を受信するまで待機する（ステップＳ２０１）。
【０１２６】
表示制御部２５３は、総合ポイントの合計値を算出する（ステップＳ２０２）。表示制御部２５３は、応援スタンプ数を算出する（ステップＳ２０３）。表示制御部２５３は、押下された各評価スタンプの識別番号を基にして、評価区分を特定する（ステップＳ２０４）。
【０１２７】
表示制御部２５３は、最も多く押下された時間スタンプの識別番号を特定する（ステップＳ２０５）。表示制御部２５３は、評価メッセージ生成処理を実行する（ステップＳ２０６）。表示制御部２５３は、評価メッセージを表示する（ステップＳ２０７）。
【０１２８】
続いて、図２０のステップＳ２０６に示した評価メッセージ生成処理の一例について説明する。図２１は、評価メッセージ生成処理の処理手順を示すフローチャートである。図２１に示すように、撮像端末２００の表示制御部２５３は、評価マスタ２４６を基にして、総合評価メッセージを特定する（ステップＳ３０１）。
【０１２９】
表示制御部２５３は、最も多く押下された時間スタンプに対応する時間評価メッセージを特定する（ステップＳ３０２）。表示制御部２５３は、最も多く押下された評価スタンプに対応する発表評価メッセージを特定する（ステップＳ３０３）。
【０１３０】
表示制御部２５３は、発表時間に基づいて、発表時間メッセージを生成する（ステップＳ３０４）。表示制御部２５３は、評価区分に基づいて、メッセージテンプレートを特定する（ステップＳ３０５）。表示制御部２５３は、メッセージテンプレートにぞれぞれのメッセージを設定することで、評価メッセージを生成する（ステップＳ３０６）。
【０１３１】
次に、本実施例に係る発表評価システムの効果について説明する。発表評価システムは、撮像端末２００が発表者２０の動画像データをリアルタイムに評価端末１００に表示させ、評価端末１００は、評価者１０による評価結果を、撮像端末２００に送信する。撮像端末２００は、評価結果を基にして、評価ポイントの算出処理および評価メッセージの生成を行う。撮像装置２００が、評価ポイント、評価ポイントに対応するシンボル、評価メッセージを発表者２０が視認できるディスプレイに表示することで、発表者２０に発表に関する評価を効果的に通知することができる。
【０１３２】
発表評価システムの評価端末１００は、タッチパネルに応援スタンプと評価スタンプとを表示させ、評価者１０の入力を受け付ける。ここで、応援スタンプについては、評価者１０に押下された場合に、撮像端末２００にリアルタイムで表示されるが、評価スタンプについては、各評価者１０の評価結果に基づき、撮像端末２００に表示される。このため、発表者２０に即時応援を伝えることができるが、評価については、個人ではなく、多数の各評価者の評価に基づき、発表者２０に通知することができる。
【０１３３】
評価端末１００は、評価者１０が応援スタンプ／評価スタンプを押下した場合に、応援スタンプ／評価スタンプを押下したタイミングに対応付けてタイムライン上に表示する。このため、評価者１０は、各スタンプを押下したタイミングおよび画像を容易に把握することができる。
【０１３４】
評価端末１００は、発表中は、応援スタンプ／評価スタンプの情報を撮像端末２００に通知し、発表終了後における、総合評価スタンプと終了スタンプの情報を撮像端末２００に通知する。これにより、発表中には、部分的な評価を発表者２０に通知でき、発表後には、総合評価を発表者２０に通知することができる。
【０１３５】
評価端末１００は、応援スタンプ／評価スタンプについて、押下回数を制限し、回数を超えた場合には、応援スタンプの押下を無効化または非アクティブにするため、過度に特定のスタンプを押下されることを抑止することができる。
【０１３６】
撮像端末２００は、動画像データを、評価端末１００に送信して、評価を受け付けると共に、ディスプレイ２３０ａに表示させる。また、撮像端末２００は、発表の経過時間をディスプレイ２３０ａに表示させるため、発表者２０に評価を伝えると共に、発表の進行具合などを調整させることができる。
【０１３７】
撮像端末２００は、評価者１０により応援スタンプが押下された押下情報を受け付けると、ディスプレイ２３０ａに応援スタンプを表示させる。また、他の評価者１０より更に応援スタンプが押下された押下情報を受け付けた場合には、応援スタンプを強調表示する。これにより、発表者２０に応援状況を効果的に伝えることができる。
【０１３８】
撮像端末２００は、発表中において、応援スタンプや評価スタンプに応じた情報をディスプレイ２３０ａに表示させ、発表終了後には、総合評価に基づく評価メッセージ等をディスプレイ２３０ａに表示させる。これにより、発表者２０に発表の評価を効果的に通知することができる。
【０１３９】
なお、本実施例では一例として、撮像端末２００の表示制御部２５３が、評価ポイントの算出処理や、評価メッセージの作成を行っていたがこれに限定されるものではない。例えば、発表評価システムに、サーバを設け、かかるサーバに表示制御部２５３に対応する処理を実行し、評価ポイント、評価メッセージの情報を、撮像装置２００に通知して表示させても良い。
【０１４０】
次に、上記実施例に示した評価端末１００および撮像端末２００と同様の機能を実現するコンピュータのハードウェア構成の一例について説明する。図２２は、評価端末と同様の機能を実現するコンピュータのハードウェア構成の一例を示す図である。
【０１４１】
図２２に示すように、コンピュータ３００は、各種演算処理を実行するＣＰＵ３０１と、ユーザからのデータの入力を受け付ける入力装置３０２と、ディスプレイ３０３とを有する。また、コンピュータ３００は、記憶媒体からプログラム等を読み取る読み取り装置３０４と、無線ネットワークを介して他のコンピュータとの間でデータの授受を行うインタフェース装置３０５とを有する。コンピュータ３００は、カメラ３０６を有する。また、コンピュータ３００は、各種情報を一時記憶するＲＡＭ３０７と、ハードディスク装置３０８とを有する。そして、各装置３０１〜３０８は、バス３０９に接続される。
【０１４２】
ハードディスク装置３０８は、受信プログラム３０８ａ、動画像再生プログラム３０８ｂ、表示処理プログラム３０８ｃを有する。ＣＰＵ３０１は、受信プログラム３０８ａ、動画像再生プログラム３０８ｂ、表示処理プログラム３０８ｃを読み出してＲＡＭ３０７に展開する。
【０１４３】
受信プログラム３０８ａは、受信プロセス３０７ａとして機能する。動画像再生プログラム３０８ｂは、動画像再生プロセス３０７ｂとして機能する。表示処理プログラム３０８ｃは、表示処理プロセス３０７ｃとして機能する。
【０１４４】
受信プロセス３０７ａの処理は、受信部１４１の処理に対応する。動画像再生プロセス３０７ｂの処理は、動画像再生部１４２の処理に対応する。表示処理プロセス３０７ｃの処理は、表示処理部１４３の処理に対応する。
【０１４５】
なお、各プログラム３０８ａ〜３０８ｃについては、必ずしも最初からハードディスク装置３０８に記憶させておかなくても良い。例えば、コンピュータ３００に挿入されるフレキシブルディスク（ＦＤ）、ＣＤ−ＲＯＭ、ＤＶＤディスク、光磁気ディスク、ＩＣカードなどの「可搬用の物理媒体」に各プログラムを記憶させておく。そして、コンピュータ３００が各プログラム３０８ａ〜３０８ｃを読み出して実行するようにしても良い。
【０１４６】
図２３は、撮像端末と同様の機能を実現するコンピュータのハードウェア構成の一例を示す図である。
【０１４７】
図２３に示すように、コンピュータ４００は、各種演算処理を実行するＣＰＵ４０１と、ユーザからのデータの入力を受け付ける入力装置４０２と、ディスプレイ４０３とを有する。また、コンピュータ４００は、記憶媒体からプログラム等を読み取る読み取り装置４０４と、無線ネットワークを介して他のコンピュータとの間でデータの授受を行うインタフェース装置４０５とを有する。コンピュータ４００は、カメラ４０６を有する。また、コンピュータ４００は、各種情報を一時記憶するＲＡＭ４０７と、ハードディスク装置４０８とを有する。そして、各装置４０１〜４０８は、バス４０９に接続される。
【０１４８】
ハードディスク装置４０８は、取得プログラム４０８ａ、送信プログラム４０８ｂ、表示処理プログラム４０８ｃを有する。ＣＰＵ４０１は、取得プログラム４０８ａ、送信プログラム４０８ｂ、表示処理プログラム４０８ｃを読み出してＲＡＭ４０７に展開する。
【０１４９】
取得プログラム４０８ａは、取得プロセス４０７ａとして機能する。送信プログラム４０８ｂは、送信プロセス４０７ｂとして機能する。表示処理プログラム４０８ｃは、表示処理プロセス４０７ｃとして機能する。
【０１５０】
取得プロセス４０７ａの処理は、取得部２５１の処理に対応する。送信プロセス４０７ｂの処理は、送信部２５２の処理に対応する。表示処理プロセス４０７ｃの処理は、表示処理部２５３の処理に対応する。
【０１５１】
なお、各プログラム４０８ａ〜４０８ｃについては、必ずしも最初からハードディスク装置４０８に記憶させておかなくても良い。例えば、コンピュータ４００に挿入されるフレキシブルディスク（ＦＤ）、ＣＤ−ＲＯＭ、ＤＶＤディスク、光磁気ディスク、ＩＣカードなどの「可搬用の物理媒体」に各プログラムを記憶させておく。そして、コンピュータ４００が各プログラム４０８ａ〜４０８ｃを読み出して実行するようにしても良い。
【０１５２】
以上の各実施例を含む実施形態に関し、さらに以下の付記を開示する。
【０１５３】
（付記１）発表者を撮影するカメラを備えた第１の端末と、
前記第１の端末で撮影された動画像を受信して、受信した該動画像を再生するとともに、前記動画像の再生中に前記発表者の発表に関する評価の入力を受け付ける１又は複数の端末群と、
前記１又は複数の端末群から入力された各評価を取得し、取得した該各評価に基づいて、評価ポイントの算出処理、又は、評価メッセージの生成処理を行う処理部と、
を備えたことを特徴とする発表評価システム。
【０１５４】
（付記２）前記処理部が前記評価ポイントの算出処理を行う場合に、前記処理部は、前記評価ポイント又は前記評価ポイントに対応するシンボル若しくはメッセージを表示部に表示させる、
ことを特徴とする付記１記載の発表評価システム。
【０１５５】
（付記３）発表者を撮影する第１の端末と、
前記第１の端末で撮影された動画像を受信して、受信した該動画像を再生するとともに、前記動画像の再生中に前記発表者の発表に関する評価の入力を受け付ける１又は複数の端末群と、
前記１又は複数の端末群から入力された各評価を取得し、取得した該各評価を、前記第１の端末の前記カメラの撮影方向側の表示部、又は、前記発表者の第３の端末の表示部に表示させる処理部と、
を備えたことを特徴とする発表評価システム。
【０１５６】
（付記４）動画像を受信する受信部と、
受信した前記動画像を再生して表示させる動画像再生部と、
前記動画像について複数タイプの評価を受け付ける操作部と、
を備え、
前記複数タイプは、評価の入力に応じて他の端末にリアルタイムで入力された評価を表示される第１のタイプと、評価の入力に応じて他の端末にリアルタイムで入力された評価を表示されない第２のタイプを含む、
ことを特徴とする評価端末。
【０１５７】
（付記５）前記第１のタイプの評価が入力されると、該第１のタイプの評価が入力された際の前記動画像の再生タイミングを示す情報に対応づけて評価内容を示すシンボル又はメッセージを表示させる処理部、
を備えた付記４記載の評価端末。
【０１５８】
（付記６）前記動画像の再生タイミングを示す情報は、前記動画像の再生タイミングを示す時間軸上の点若しくは区間、又は、対応する再生タイミングのサムネイル画像である、
ことを特徴とする付記４又は５に記載の評価端末。
【０１５９】
（付記７）前記第１のタイプは、前記動画像の部分評価であり、前記第２のタイプは、前記動画像の長さ又は総合評価である、
ことを特徴とする付記４記載の評価端末。
【０１６０】
（付記８）前記第１のタイプについて、評価の回数の限度又は所定時間内の評価回数の限度が設定され、限度を超えた評価は無効とされるか、又は、限度到達により評価を受け付ける操作部分が非常時若しくは非アクティブに設定される、
ことを特徴とする付記４記載の評価端末。
【０１６１】
（付記９）前記第２のタイプは、複数回の入力が可能な評価であり、前記複数回の入力のうち最後の入力又は前記複数回入力の平均が評価として選択される、
ことを特徴とする付記４記載の評価端末。
【０１６２】
（付記１０）動画を撮影するカメラと、
前記カメラの撮影側に設けられたディスプレイと、
前記カメラで撮影した動画像を送信する送信部と、
送信された前記動画像の再生機能と該動画像の再生中の評価の入力機能とを有する評価端末における評価を取得し、前記ディスプレイに、取得した前記評価に基づく情報を表示する表示制御部と、
を備えたことを特徴とする撮像端末。
【０１６３】
（付記１１）前記表示制御部は、動画像の撮影に関する経過時間を前記ディスプレイに表示する、
ことを特徴とする付記１０記載の撮像端末。
【０１６４】
（付記１２）前記表示制御部は、複数の評価端末から同一の評価を取得した場合には、前記評価に基づく情報を強調表示することを特徴とする付記１０記載の撮像端末。
【０１６５】
（付記１３）前記表示制御部は、前記評価に基づいて評価メッセージを生成し、生成した評価メッセージを前記ディスプレイに表示することを特徴とする付記１０記載の撮像端末。
【０１６６】
（付記１４）前記評価は、第１のタイプの評価と、第２のタイプの評価とを含み、前記表示制御部は、前記第１のタイプの評価を取得した場合には、前記第１のタイプの評価が入力されたタイミングに基づいて前記第１タイプの評価を前記ディスプレイのタイムライン上に表示し、前記第２のタイプの評価を取得した場合には、終了イベントが発生した段階で、前記ディスプレイに前記第２のタイプの評価を表示することを特徴とする付記１０記載の撮像端末。
【０１６７】
（付記１５）コンピュータが実行する評価方法であって、
動画像を受信し、
受信した前記動画像を再生して表示させ、
前記動画像について複数タイプの評価を受け付ける処理を実行し、
前記複数タイプは、評価の入力に応じて他の端末にリアルタイムで入力された評価を表示される第１のタイプと、評価の入力に応じて他の端末にリアルタイムで入力された評価を表示されない第２のタイプを含む、
ことを特徴とする評価方法。
【０１６８】
（付記１６）前記第１のタイプの評価が入力されると、該第１のタイプの評価が入力された際の前記動画像の再生タイミングを示す情報に対応づけて評価内容を示すシンボル又はメッセージを表示させる処理、
を更に実行することを特徴とする付記１５記載の評価方法。
【０１６９】
（付記１７）前記動画像の再生タイミングを示す情報は、前記動画像の再生タイミングを示す時間軸上の点若しくは区間、又は、対応する再生タイミングのサムネイル画像である、
ことを特徴とする付記１５又は１６に記載の評価方法。
【０１７０】
（付記１８）前記第１のタイプは、前記動画像の部分評価であり、前記第２のタイプは、前記動画像の長さ又は総合評価である、
ことを特徴とする付記１５記載の評価方法。
【０１７１】
（付記１９）前記第１のタイプについて、評価の回数の限度又は所定時間内の評価回数の限度が設定され、限度を超えた評価は無効とされるか、又は、限度到達により評価を受け付ける操作部分を非常時若しくは非アクティブに設定する、
ことを特徴とする付記１５記載の評価方法。
【０１７２】
（付記２０）前記第２のタイプは、複数回の入力が可能な評価であり、前記複数回の入力のうち最後の入力又は前記複数回入力の平均が評価として選択される、
ことを特徴とする付記１５記載の評価方法。
【０１７３】
（付記２１）コンピュータが実行する表示方法であって、
カメラで撮影した動画像を送信し、
送信された前記動画像の再生機能と該動画像の再生中の評価の入力機能とを有する評価端末における評価を取得し、取得した前記評価に基づく情報を、前記カメラの撮影側に設けられたディスプレイに表示する
処理を実行することを特徴とする表示方法。
【０１７４】
（付記２２）前記表示する処理は、動画像の撮影に関する経過時間を前記ディスプレイに表示する、
ことを特徴とする付記２１記載の表示方法。
【０１７５】
（付記２３）前記表示する処理は、複数の評価端末から同一の評価を取得した場合には、前記評価に基づく情報を強調表示することを特徴とする付記２１記載の表示方法。
【０１７６】
（付記２４）前記表示する処理は、前記評価に基づいて評価メッセージを生成し、生成した評価メッセージを前記ディスプレイに表示することを特徴とする付記２１記載の表示方法。
【０１７７】
（付記２５）前記評価は、第１のタイプの評価と、第２のタイプの評価とを含み、前記表示制御部は、前記第１のタイプの評価を取得した場合には、前記第１のタイプの評価が入力されたタイミングに基づいて前記第１タイプの評価を前記ディスプレイのタイムライン上に表示し、前記２のタイプの評価を取得した場合には、終了イベントが発生した段階で、前記ディスプレイに前記第２のタイプの評価を表示することを特徴とする付記２１記載の表示方法。
【０１７８】
（付記２６）コンピュータに、
動画像を受信し、
受信した前記動画像を再生して表示させ、
前記動画像について複数タイプの評価を受け付ける処理を実行させ、
前記複数タイプは、評価の入力に応じて他の端末にリアルタイムで入力された評価を表示される第１のタイプと、評価の入力に応じて他の端末にリアルタイムで入力された評価を表示されない第２のタイプを含む、
ことを特徴とする評価プログラム。
【０１７９】
（付記２７）前記第１のタイプの評価が入力されると、該第１のタイプの評価が入力された際の前記動画像の再生タイミングを示す情報に対応づけて評価内容を示すシンボル又はメッセージを表示させる処理、
を更に実行することを特徴とする付記２６記載の評価プログラム。
【０１８０】
（付記２８）前記動画像の再生タイミングを示す情報は、前記動画像の再生タイミングを示す時間軸上の点若しくは区間、又は、対応する再生タイミングのサムネイル画像である、
ことを特徴とする付記２６又は２７に記載の評価プログラム。
【０１８１】
（付記２９）前記第１のタイプは、前記動画像の部分評価であり、前記第２のタイプは、前記動画像の長さ又は総合評価である、
ことを特徴とする付記２６記載の評価プログラム。
【０１８２】
（付記３０）前記第１のタイプについて、評価の回数の限度又は所定時間内の評価回数の限度が設定され、限度を超えた評価は無効とされるか、又は、限度到達により評価を受け付ける操作部分を非常時若しくは非アクティブに設定する、
ことを特徴とする付記２６記載の評価プログラム。
【０１８３】
（付記３１）前記第２のタイプは、複数回の入力が可能な評価であり、前記複数回の入力のうち最後の入力又は前記複数回入力の平均が評価として選択される、
ことを特徴とする付記２６記載の評価プログラム。
【０１８４】
（付記３２）コンピュータに、
カメラで撮影した動画像を送信し、
送信された前記動画像の再生機能と該動画像の再生中の評価の入力機能とを有する評価端末における評価を取得し、取得した前記評価に基づく情報を、前記カメラの撮影側に設けられたディスプレイに表示する
処理を実行させることを特徴とする表示プログラム。
【０１８５】
（付記３３）前記表示する処理は、動画像の撮影に関する経過時間を前記ディスプレイに表示する、
ことを特徴とする付記３２記載の表示プログラム。
【０１８６】
（付記３４）前記表示する処理は、複数の評価端末から同一の評価を取得した場合には、前記評価に基づく情報を強調表示することを特徴とする付記３２記載の表示プログラム。
【０１８７】
（付記３５）前記表示する処理は、前記評価に基づいて評価メッセージを生成し、生成した評価メッセージを前記ディスプレイに表示することを特徴とする付記３２記載の表示プログラム。
【０１８８】
（付記３６）前記評価は、第１のタイプの評価と、第２のタイプの評価とを含み、前記表示制御部は、前記第１のタイプの評価を取得した場合には、前記第１のタイプの評価が入力されたタイミングに基づいて前記第１のタイプの評価を前記ディスプレイのタイムライン上に表示し、前記２のタイプの評価を取得した場合には、終了イベントが発生した段階で、前記ディスプレイに前記第２のタイプの評価を表示することを特徴とする付記３２記載の表示プログラム。
【符号の説明】
【０１８９】
１０ａ、１０ｂ、１０ｃ、１０ｄ  評価者
２０  発表者
１００ａ、１００ｂ、１００ｃ、１００ｄ  評価端末
２００  撮像端末
【図１】
2018156158.tif 000003
【図２】
2018156158.tif 000004
【図３】
2018156158.tif 000005
【図４】
2018156158.tif 000006
【図５】
2018156158.tif 000007
【図６】
2018156158.tif 000008
【図７】
2018156158.tif 000009
【図８】
2018156158.tif 000010
【図９】
2018156158.tif 000011
【図１０】
2018156158.tif 000012
【図１１】
2018156158.tif 000013
【図１２】
2018156158.tif 000014
【図１３】
2018156158.tif 000015
【図１４】
2018156158.tif 000016
【図１５】
2018156158.tif 000017
【図１６】
2018156158.tif 000018
【図１７】
2018156158.tif 000019
【図１８】
2018156158.tif 000020
【図１９】
2018156158.tif 000021
【図２０】
2018156158.tif 000022
【図２１】
2018156158.tif 000023
【図２２】
2018156158.tif 000024
【図２３】
2018156158.tif 000025